(57)【特許請求の範囲】
【請求項１】
カテーテル挿入用シースと、該シース内に抜去可能に挿入されたダイレーターとを備えるカテーテルイントロデューサーを体腔内に誘導するためのイントロデューサー誘導具であって、
前記イントロデューサー誘導具は、前記ダイレーターの内径と同等もしくはそれ以下のものとなっており、前記ダイレーターの内腔内に侵入可能な外径および貫通可能な長さを有する誘導用チューブと、該誘導用チューブを取り外し可能に装着する穿刺針組立体とを備え、そして、該穿刺針組立体は、前記誘導用チューブを貫通する穿刺針本体部と、該穿刺針本体部の先端に形成され、前記誘導用チューブの先端より突出する刃先部と、前記穿刺針本体部の後端部に接続され、前記穿刺針本体部の先端方向に所定長延びるとともに前記誘導用チューブを所定長被包するチューブ体であり、かつ内径が前記誘導用チューブの外径より若干大きいものとなっている誘導用チューブ被覆部と、前記誘導用チューブの前記穿刺針組立体の後端側への移動を規制する誘導用チューブ移動規制部とを備えることを特徴とするイントロデューサー誘導具。
【請求項２】
前記穿刺針組立体は、前記穿刺針本体部の後端部と前記誘導用チューブ被覆部とを接続する接続部を備え、該接続部の内部には、前記誘導用チューブの後端と当接可能な前記誘導用チューブ移動規制部を備えている請求項１に記載のイントロデューサー誘導具。
【請求項３】
前記穿刺針組立体は、前記誘導用チューブ被覆部の先端側部分に設けられた穿刺操作用ハブを有する請求項１または２に記載のイントロデューサー誘導具。
【請求項４】
前記穿刺針組立体は、前記誘導用チューブ被覆部の先端部に設けられ、該誘導用チューブ被覆部を前記誘導用チューブに離脱可能に固定する固定部材を有し、前記誘導用チューブ移動規制部は、該固定部材により構成されている請求項１ないし３のいずれかに記載のイントロデューサー誘導具。
【請求項５】
前記穿刺針組立体は、前記穿刺針本体部の先端より該穿刺針組立体の後端まで延びる体腔内挿入確認用血液流路を備えている請求項１ないし４のいずれかに記載のイントロデューサー誘導具。
【請求項６】
カテーテル挿入用シースと、該シース内に抜去可能に挿入されたダイレーターとを備えるカテーテルイントロデューサーと、該カテーテルイントロデューサーを体腔内に誘導するためのイントロデューサー誘導具からなるイントロデューサーキットであって、前記イントロデューサー誘導具が、請求項１ないし５のいずれかに記載のものであることを特徴とするイントロデューサーキット。
【発明の詳細な説明】
【技術分野】
【０００１】
本発明は、カテーテル挿入用シースとこのシース内に抜去可能に挿入されたダイレーターとを備えるカテーテルイントロデューサーを体腔内に誘導するためのイントロデューサー誘導具およびイントロデューサーキットに関するものである。
【背景技術】
【０００２】
近年医療において、カテーテルと呼ばれる細長い中空管状の医療器具を用いて様々な形態の治療が行われている。このような治療方法としては、カテーテルの長尺性を利用して直接患部に薬剤を投与する方法、加圧によって拡張するバルーンを先端に取り付けたカテーテルを用いて体腔内の狭窄部を押し広げて開く方法、先端部にカッターが取り付けられたカテーテルを用いて患部を削り取って開く方法、逆にカテーテルを用いて動脈瘤や出血箇所あるいは栄養血管に詰め物をして閉じる方法などがある。また、体腔内の狭窄部を開口した状態に維持するために、側面が網目状になっている管形状をしたステントをカテーテルを用いて体腔内に埋め込んで留置する治療方法などがある。
このようなカテーテルを血管に挿入する手法として、イントロデューサーシースを用いたセルジンガー法が一般的である。この方法は、外管とこの外管内を貫通した穿刺針からなるセルジンガー針が用いられる。セルジンガー針を経皮的に血管に刺込し、穿刺針を抜去し、外管内にその後端からガイドワイヤを挿入する。そして、外管を抜去した後、ガイドワイヤに沿って、シースとシース内に挿入されたダイレーターからなるカテーテルイントロデューサーを経皮的に挿入する。そして、シースより、ダイレーターを抜去し、シース内にカテーテルを挿入する。
セルジンガー法では、シース内にカテーテルを挿入するまでに、セルジンガー針の穿刺、穿刺針の抜去、ガイドワイヤーの挿入、外管の抜去、イントロデューサーの挿入、ダイレーターの抜去という煩雑な複数回の挿入、抜去を行わなければならない。
【０００３】
本件出願人は、特公平３−１０２６号公報（特許文献１）のカテーテル導入具を提案している。このカテーテル導入具は、刃先が形成されてなる内針を備える内針部と、内針の刃先が突出する状態にまで該内針を挿通可能とするダイレーターとを備えるダイレーター部と、ダイレーターを挿通可能とするシースを備えるシース部とを有してなるカテーテル導入具において、前記ダイレーター部は、内針の刃先が突出可能とされるダイレーターの先端側部分に皮膚から血管壁までの穿刺距離以上の長さを有する比較的小外径の１次挿入部を有するとともに、ダイレーターの上記１次挿入部に続く部分に皮膚から血管壁までの穿刺距離以上の長さを有する比較的大外径の２次挿入部を有し、前記１次挿入部と２次挿入部とを、テーパ状外径部によって滑らかに接続し、さらに前記シース部のシースはダイレーターの前記第２次挿入部を挿通可能とし、該シース部の後端には、カテーテルを液密状態で挿通可能な弁体を備えている。
このカテーテル導入具では、一次挿入部までの血管への穿刺、内針の抜去、ダイレーター挿入用ガイドワイヤーの挿入、２次挿入部を越えシース部の先端部体腔内への挿入、ダイレーターおよびガイドワイヤーの抜去、という作業を行うことにより、カテーテルの挿入が可能となる。このカテーテル導入具によれば、セルジンガー針を用いる場合に比べて作業が煩雑ではない点において優れている。
しかし、このカテーテル導入具では、シースの基部には、サイドポート、サイドチューブなどのかさばるパーツが付属している。このため、このカテーテル導入具の操作では、シースおよびダイレーターとともに上記の付属パーツも含めて把持した状態にて、血管への穿刺作業を行わなければならず、操作性が必ずしも良好なものではなかった。
また、この種のカテーテル導入具では、シースの表面に潤滑性コートが付与されているケースが多く、シースの潤滑性の高さ故、シースを把持した操作が困難であり、操作時における把持部は、通常潤滑性コートが付与されない基端部ハブに限定される。穿刺作業時における把持部が、基端部ハブに限定されることに起因し、先端側の操作が困難なものとなっていた。
最近では、緊急性を有するカテーテル術も多く、カテーテルを導入可能となる状態までの作業、いわゆるイントロデューサーシースによる体腔確保がより容易に行えるものが求められている。
【０００４】
【特許文献１】特公平３−１０２６号公報
【発明の開示】
【発明が解決しようとする課題】
【０００５】
本発明は、カテーテル挿入用シースとこのシース内に抜去可能に挿入されたダイレーターとを備えるカテーテルイントロデューサーを体腔内に誘導するためのイントロデューサー誘導具であり、カテーテルを導入可能となる状態までの作業、いわゆるイントロデューサーシースによる血管確保がより容易に行うことができるイントロデューサー誘導具およびイントロデューサーキットを提供するものである。
【課題を解決するための手段】
【０００６】
上記目的を達成するものは、以下のものである。
（１）  カテーテル挿入用シースと、該シース内に抜去可能に挿入されたダイレーターとを備えるカテーテルイントロデューサーを体腔内に誘導するためのイントロデューサー誘導具であって、
前記イントロデューサー誘導具は、前記ダイレーターの内径と同等もしくはそれ以下のものとなっており、前記ダイレーターの内腔内に侵入可能な外径および貫通可能な長さを有する誘導用チューブと、該誘導用チューブを取り外し可能に装着する穿刺針組立体とを備え、そして、該穿刺針組立体は、前記誘導用チューブを貫通する穿刺針本体部と、該穿刺針本体部の先端に形成され、前記誘導用チューブの先端より突出する刃先部と、前記穿刺針本体部の後端部に接続され、前記穿刺針本体部の先端方向に所定長延びるとともに前記誘導用チューブを所定長被包するチューブ体であり、かつ内径が前記誘導用チューブの外径より若干大きいものとなっている誘導用チューブ被覆部と、前記誘導用チューブの前記穿刺針組立体の後端側への移動を規制する誘導用チューブ移動規制部とを備えるイントロデューサー誘導具。
【０００７】
（２）  前記穿刺針組立体は、前記穿刺針本体部の後端部と前記誘導用チューブ被覆部とを接続する接続部を備え、該接続部の内部には、前記誘導用チューブの後端と当接可能な前記誘導用チューブ移動規制部を備えている上記（１）に記載のイントロデューサー誘導具。
（３）  前記穿刺針組立体は、前記誘導用チューブ被覆部の先端側部分に設けられた穿刺操作用ハブを有する上記（１）または（２）に記載のイントロデューサー誘導具。
（４）  前記穿刺針組立体は、前記誘導用チューブ被覆部の先端部に設けられ、該誘導用チューブ被覆部を前記誘導用チューブに離脱可能に固定する固定部材を有し、前記誘導用チューブ移動規制部は、該固定部材により構成されている上記（１）ないし（３）のいずれかに記載のイントロデューサー誘導具。
（５）  前記穿刺針組立体は、前記穿刺針本体部の先端より該穿刺針組立体の後端まで延びる体腔内挿入確認用血液流路を備えている上記（１）ないし（４）のいずれかに記載のイントロデューサー誘導具。
【０００９】
また、上記目的を達成するものは、以下のものである。
（６）  カテーテル挿入用シースと、該シース内に抜去可能に挿入されたダイレーターとを備えるカテーテルイントロデューサーと、該カテーテルイントロデューサーを体腔内に誘導するためのイントロデューサー誘導具からなるイントロデューサーキットであって、前記イントロデューサー誘導具が、上記（１）ないし（５）のいずれかに記載のものであるイントロデューサーキット。
【発明の効果】
【００１０】
本発明のイントロデューサー誘導具は、イントロデューサーのダイレーターの内腔内に侵入可能な外径および貫通可能な長さを有する誘導用チューブと、該誘導用チューブを取り外し可能に装着する穿刺針組立体とを備え、そして、該穿刺針組立体は、前記誘導用チューブを貫通する穿刺針本体部と、該穿刺針本体部の先端に形成され、前記誘導用チューブの先端より突出する刃先部と、前記誘導用チューブの前記穿刺針組立体の後端側への移動を規制する誘導用チューブ移動規制部とを備えている。
このため、本発明のイントロデューサー誘導具を体腔内に穿刺後、穿刺針組立体を抜去することにより、誘導用チューブが残り、この誘導用チューブにより誘導されるように、イントロデューサーのダイレーターを誘導用チューブを被包するように、言い換えれば、ダイレーターの内腔内に誘導用チューブを収納するように押し進めることにより、イントロデューサーを体腔内に誘導できる。そして、イントロデューサーのダイレーターおよび誘導用チューブを抜去することにより、イントロデューサーのシースを体腔内に配置でき、シースによる血管確保が完了する。
【００１１】
本発明のイントロデューサー誘導具を用いた体腔確保における生体に比較的大きな侵襲（刺激）を与える操作は、イントロデューサー誘導具の穿刺操作、生体内に挿入された状態の誘導用チューブ上へのイントロデューサーの押込操作であり、体腔確保に至るまでに生体に与える外科的侵襲が少なく、与える負担も少ない。また、本発明のイントロデューサー誘導具では、イントロデューサー誘導具の穿刺、組立体の抜去、イントロデューサーの挿入、ダイレーターおよび誘導用チューブの抜去という４つの操作のみで体腔確保ができ、体腔確保を容易かつ確実に行うことができる。
【発明を実施するための最良の形態】
【００１２】
以下、本発明のイントロデューサー誘導具およびイントロデューサーキットについて、添付図面を参照して詳細に説明する。
図１は、本発明のイントロデューサー誘導具の正面図である。図２は、図１に示したイントロデューサー誘導具の誘導用チューブの正面図である。図３は、図１に示したイントロデューサー誘導具の穿刺針組立体の正面図である。図４は、図１に示したイントロデューサー誘導具の部分省略断面図である。
そこで、図面に示す実施例を用いて説明する。
【００１３】
本発明のイントロデューサー誘導具１は、カテーテル挿入用シース８１と、シース８１内に抜去可能に挿入されたダイレーター９１とを備えるカテーテルイントロデューサー８０を体腔内に誘導するためのものである。
イントロデューサー誘導具１は、ダイレーター９１の内腔内に侵入可能な外径および貫通可能な長さを有する誘導用チューブ２と、誘導用チューブ２を取り外し可能に装着する穿刺針組立体３とを備える。穿刺針組立体３は、誘導用チューブ２を貫通する穿刺針本体部３１と、穿刺針本体部３１の先端に形成され、誘導用チューブ２の先端より突出する刃先部３１ａと、誘導用チューブ２の穿刺針組立体３の後端側への移動を規制する誘導用チューブ移動規制部２３ａ，３３ａとを備えている。
【００１４】
図１ないし図３に示す実施例のイントロデューサー誘導具１は、誘導用チューブ２と、誘導用チューブ２を取り外し可能に装着する穿刺針組立体３とからなる。本発明のイントロデューサー誘導具は、カテーテルイントロデューサーを血管、胃、食道、空腸などの体腔内に誘導するために用いられる。
誘導用チューブ２は、図１、図２および図４に示すように、先端および後端が開口し、内部に内腔２２を有する所定長延びるチューブ体である。そして、誘導用チューブ２の外径は、ダイレーター９１の内腔内に侵入可能なものとなっており、長さは、ダイレーター９１を貫通可能なものとなっている。そして、この実施例のイントロデューサー誘導具１では、誘導用チューブ２の基端部２３の基端面２３ａが、誘導用チューブ移動規制部の一部を構成するものとなっている。
【００１５】
誘導用チューブ２の構成材料としては、例えばポリオレフィン（例えば、ポリエチレン、ポリプロピレン、ポリブテン、エチレン−プロピレン共重合体、エチレン−酢酸ビニル共重合体、アイオノマー、またはこれら二種以上の混合物など）、ポリオレフィンエラストマー、ポリオレフィンの架橋体、ポリ塩化ビニル、ポリアミド、ポリアミドエラストマー、ポリエステル、ポリエステルエラストマー、ポリウレタン、ポリウレタンエラストマー、フッ素樹脂、ポリカーボネート、ポリスチレン、ポリアセタール、ポリイミド、ポリエーテルイミドなどの高分子材料またはこれらの混合物などを用いることができる。また、誘導用チューブ２の手元側操作部となる部分は、ショアＤ硬度が６５以上の高分子材料で形成されていることが望ましい。
また、誘導用チューブ２の外径としては、０．６〜１．８ｍｍが好適であり、特に、０．７〜１．７ｍｍが好適である。また、誘導用チューブ２の内径としては、０．５〜１．３ｍｍが好適であり、特に、０．６〜１．０ｍｍが好適である。また、誘導用チューブ２の長さとしては、１５０〜１０００ｍｍが好適であり、特に、３００〜５００ｍｍが好適である。
【００１６】
そして、誘導用チューブ２としては、ダイレーター９１の内腔内への侵入時に障害となる拡径部分（例えば、ハブ）などを備えず、誘導用チューブ２の先端から後端までのダイレーター９１の内腔内に侵入可能な外径、すなわちダイレーターの内径と同等もしくはそれ以下のものとなっている。具体的には、誘導用チューブ２としては、先端から後端まで、実質的に同一外径のものが好ましいが、後端もしくは所定位置より先端側が、先端に向かって縮径するものであってもよい。また、誘導用チューブ２の先端部２１は、テーパー状に縮径していることが好ましい。このようにすることにより、イントロデューサー誘導具１の血管への穿刺時における抵抗が少ないものとなる。また、誘導用チューブ２の先端は、エッジが面取りされていること、もしくは、エッジが露出しないように先端が丸められていることが好ましい。このようにすることにより、イントロデューサー誘導具１の血管への穿刺時における抵抗が少ないものとなる。
【００１７】
また、誘導用チューブ２としては、先端部に設けられた造影マーカー２７ａ，２７ｂを備えていることが好ましい。造影マーカーは、誘導用チューブ２の先端付近に１つ設けられていればよいが、図に示すもののように、複数設けることが好ましい。造影マーカーとしては、Ｘ線造影性物質、超音波造影性物質またはＭＲＩ造影性物質を含有した樹脂の塗布、もしくは、Ｘ線造影性物質、超音波造影性物質またはＭＲＩ造影性物質により形成されたリング状部材を埋設することにより形成したものなどが好ましい。
また、誘導用チューブは、後端部に比べて先端部が柔軟なものとなっているものであってもよい。例えば、チューブ２としては、先端から所定長部分が柔軟先端部となっており、この柔軟先端部以外は、柔軟先端部より硬質なものとなっているものが好ましい。柔軟先端部の長さとしては、５〜１００ｍｍが好適であり、特に、１０〜５０ｍｍが好ましい。また、誘導用チューブとしては、図５に示す誘導用チューブ１５のように、複数の硬度の異なる領域１５ａ，１５ｂ，１５ｃ，１５ｄを備えるものであってもよい。この誘導用チューブ１５では、先端側より、最も柔軟な領域１５ａ，領域１５ａに次いで柔軟な領域１５ｂ，領域１５ｂより硬質な領域１５ｃ，領域１５ｃより硬質な領域１５ｄを備えるものであってもよい。
【００１８】
また、誘導用チューブは、図６に示す誘導用チューブ１６のように、内層１６ａと、この内層１６ａを被包する外層１６ｂからなるものであってもよい。そして、図６に示すように、内層１６ａの先端側部分に螺旋状のスリット１８を備えることが好ましい。このような螺旋状スリットを設けることにより、チューブ１６の先端部は良好に湾曲可能となる。螺旋状スリット１８は、図６に示すように、内層１６ａの先端もしくは先端より若干基端側の位置より、所定長基端側に延びるものであることが好ましい。そして、螺旋状スリットの基端位置は、誘導用チューブの先端から、５〜３０ｍｍ基端側となる位置であることが好ましい。さらに、螺旋状スリットは、ピッチが基端側に向かって徐々にもしくは段階的に広くなることが好ましい。このようにすることにより、チューブ１６のスリット形成部は、剛性が連続的もしくは段階的に変化し、良好な傾斜物性を備えるものとなり、湾曲が自然なものとなり、キンクを確実に抑制できる。また、血管内壁にダメージを与えにくいものとなる。
螺旋状スリットのピッチとしては、全体が同一ピッチの場合には、０．３ｍｍ〜２．０ｍｍ程度が好ましく、特に０．５ｍｍ〜１．０ｍｍが好ましい。また、螺旋状スリットが、上述のようにピッチが変化する場合には、先端部では、０．３ｍｍ〜２．０ｍｍ程度、基端部では、２．５〜１０ｍｍ程度が好適であり、特に、先端部と基端部の中間部では、両者の中間のピッチを有しているか徐々にピッチが変化していることが好ましい。また、図示するものでは、スリットは１本の螺旋状であるが、これに限らず、２本またはそれ以上であってもよい。
【００１９】
また、図示しないが、誘導用チューブは、内層１６ａと外層１６ｂ間にコイルを有するものとし、かつ、コイルとして、先端側が密ピッチであり基端側が疎ピッチのものを用いることにより、先端側が柔軟であるとともに傾斜物性を有するものであってもよい。
また、内層１６ａおよび外層１６ｂとしては、上述した誘導用チューブ２の構成材料を用いることができる。特に、内層１６ａは、外層１６ｂより剛性の高いものであることが好ましい。このように、内層１６ａを剛性の高いものとすることにより、つぶれにくいものとなり、かつ、上述のように螺旋状スリットを設けることにより、キンクの発生がより少ないものとなる。
内層および外層の形成樹脂の組合せとしては、内層として、ポリオレフィン、ポリアミド、ポリエステル、ポリウレタン、ポリカーボネート、ポリスチレン、ポリアセタール、ポリイミド、ポリエーテルイミド、フッ素樹脂などのある程度の剛性を有するものを選択し、外層として、ポリオレフィンエラストマー、ポリアミドエラストマー、ポリエステルエラストマー、ポリウレタンエラストマー、シリコーンゴム、ポリブタジエンゴム、スチレン−エチレン−ブチレン−スチレンブロック共重合体（ＳＥＢＳ）などのスチレン系エラストマーなどの可撓性の高いものを選択することが好ましい。
【００２０】
また、図７に示す誘導用チューブ１７のように、穿刺針組立体３からの離脱時において、アングル形状を示すものであってもよい。誘導用チューブ１７は、先端部に湾曲部（アングル部）１７ａを備えている。なお、この誘導用チューブ１７においても、穿刺針組立体３への装着時（言い換えれば、穿刺針本体部３１の挿通時）には、直線状となる。
なお、このようにアングル形状を設けた誘導用チューブ１７に対し、穿刺針本体部３１の刃先部３１ａがアングル部１７ａを穿孔しないように、穿刺針本体部３１を誘導用チューブ１７内に挿通する際に刃先部３１ａの刃面がアングル部１７ａと反対側に向けることにより、刃先部３１ａの刃面の向きが、穿刺針組立体３の抜去時に発現するアングル部の湾曲方向の認識の目安となる。
【００２１】
そして、誘導用チューブは、図８に示す誘導用チューブ１３のように、血液接触時に膨潤し、誘導用チューブ１３の内腔２２を閉塞する内腔シール部２４を備えていてもよい。内腔シール部２４は、チューブ１３のどの位置に設けられていてもよい。例えば、図８に示すように、チューブ２２の基端部に設けることが考えられる。しかし、これに限定されるものではなく、チューブ１３の先端側、中間部であってもよい。なお、内腔シール部は、血液による膨潤時に固くなるため、チューブ１３の生体内非挿入部に設けることが好ましい。
内腔シール部２４の形成材料としては、水膨潤性高分子材料が好適である。水膨潤性高分子材料としては、常温〜体温程度で水と接触して、１０分以内に自重の１００〜１０００倍に膨潤するものが好ましく、高吸収性樹脂として知られる種々のものが使用できる。例えば、でんぷん−アクリロニトリル、でんぷん−アクリル酸、でんぷん−アクリルアミド、でんぷん−ナトリウムアクリレート等の加水分解物を含むアクリレート系のでんぷんクラフト化物、部分的にけん化したポリビニルアルコール、ポリアクリル酸塩系やアクリル酸−ビニルアルコール系重合体、ポリエチレンオキサイド、セルロース系重合体、架橋型Ｎ−ビニルカルボン酸アミド樹脂、アルファー化デンプン、納豆樹脂（登録商標）、アクリル系重合体などが使用できる。
【００２２】
また、誘導用チューブは、図９に示す誘導用チューブ１４のように、穿刺針組立体３の抜去後に、内腔２２を閉塞する弁体２５を有するものであってもよい。この弁体は、穿刺針組立体３の穿刺針本体部３１を挿通可能なものとなっている。弁体２５としては、一方の面にのみ到達するスリットと、他方の面にのみ到達するスリットとが形成され、かつ、これらが内部において部分的に交差しているものが挙げられる。
【００２３】
次に、穿刺針組立体３について、説明する。
この実施例のイントロデューサー誘導具１では、図１、図３および図４に示すように、穿刺針組立体３は、先端に刃先部３１ａを有する穿刺針本体部３１と、この穿刺針本体部３１の基端部に基端部が固定され、穿刺針本体部３１の先端方向に所定長延びるとともに誘導用チューブ２を所定長被包する誘導用チューブ被覆部３２を備えている。さらに、この実施例の穿刺針組立体３は、穿刺針本体部３１の後端部と誘導用チューブ被覆部３２とを接続する接続部３３を備え、接続部３３の内部には、誘導用チューブ２の後端２３ａと当接可能な誘導用チューブ移動規制部３３ａを備えている。
この実施例における穿刺針本体部３１は、中実の針体であり、穿刺針本体部の外径としては、１８Ｇ〜２６Ｇが好ましく、より好ましくは２０Ｇ〜２４Ｇである。穿刺針本体部としては、金属針が好ましいが、樹脂製針であってもよい。
【００２４】
また、この実施例における誘導用チューブ被覆部３２は、所定長延びるチューブ体であり、基端部に穿刺針本体部３１の基端部に固定された接続部３３を備えている。誘導用チューブ被覆部３２のチューブ部分は、上述した誘導用チューブを被包するものであり、その内径は、誘導用チューブ２の外径より若干大きいものとなっている。そして、接続部３３の端面３３ａは、誘導用チューブ２の基端面２３ａと当接し、誘導用チューブ２のそれ以上の基端側への移動を規制する誘導用チューブ移動規制部を構成している。また、誘導用チューブ被覆部３２の先端位置は、穿刺針本体部３１の刃先部３１ａの先端より、３０〜１５０ｍｍ基端側となる位置であることが好ましく、特に、４０〜８０ｍｍ基端側となる位置であることが好ましい。なお、誘導用チューブ移動規制部としては、上記のものに限定されるものではなく。例えば、後述するイントロデューサー誘導具４５のように誘導用チューブおよび穿刺針本体部の中間部に設けてもよく、また、先端部であってもよい。
【００２５】
さらに、この実施例における穿刺針本体部３１は、誘導用チューブ被覆部３２の先端側部分に設けられた穿刺操作用ハブ３４を有している。この実施例では、穿刺操作用ハブ３４は、誘導用チューブ被覆部３２の先端より若干基端側に固定された短い筒状部材となっている。このようなハブ３４を設けることにより、イントロデューサー誘導具を血管に穿刺する際の操作が良好なものとなる。ハブ３４の配置としては、誘導用チューブ２の穿刺針本体部３１への装着時において、穿刺針本体部３１の刃先部３１ａの先端より、３０〜１２０ｍｍ基端側となる位置であることが好ましく、特に、４０〜８０ｍｍ基端側となる位置であることが好ましい。
なお、上述のものでは、接続部３３は、誘導用チューブ被覆部３２と一体の物となっているが、別部材としてもよい。さらに、穿刺操作用ハブ３４としては、上述したように、誘導用チューブ被覆部が貫通するタイプのものではなく、図１７に示し後述する実施例のように、誘導用チューブ被覆部３２の先端部に固定されるタイプのものであってもよい。この場合、穿刺操作用ハブ３４の先端位置は、穿刺針本体部３１の刃先部３１ａの先端より、３０〜１２０ｍｍ基端側となる位置であることが好ましく、特に、４０〜８０ｍｍ基端側となる位置であることが好ましい。
【００２６】
誘導用チューブ被覆部、接続部、穿刺操作用ハブの構成材料としては、例えばポリオレフィン（例えば、ポリエチレン、ポリプロピレン、ポリブテン、エチレン−プロピレン共重合体、エチレン−酢酸ビニル共重合体、アイオノマー、またはこれら二種以上の混合物など）、ポリオレフィンエラストマー、ポリオレフィンの架橋体、ポリ塩化ビニル、ポリアミド、ポリアミドエラストマー、ポリエステル、ポリエステルエラストマー、ポリウレタン、ポリウレタンエラストマー、フッ素樹脂、ポリカーボネート、ポリスチレン、ポリアセタール、ポリイミド、ポリエーテルイミドなどの高分子材料またはこれらの混合物などを用いることができる。
【００２７】
そして、本発明のイントロデューサー誘導具１は、図１０に示すように、片手で誘導用チューブ２を把持した状態にて、他方の手で例えば、穿刺操作用ハブ３４を持ち、後端側に穿刺針組立体３を引くことにより、穿刺針本体部３１の刃先部３１ａは、誘導用チューブ２内に収納され、さらに、穿刺針組立体３を引くことにより、穿刺針組立体３は、誘導用チューブ２より抜去される。
また、本発明のイントロデューサー誘導具としては、図１１に示すイントロデューサー誘導具１０の形態のものであってもよい。イントロデューサー誘導具１０と上述したイントロデューサー誘導具１との相違は、穿刺針組立体３の穿刺針本体部３１が、血液流通用溝部３６を備え、かつ基端にその血液流通用溝部からの血液流出を防止する通気性フィルタ３７を備える点のみであり、その他の点については、上述したイントロデューサー誘導具１と同じである。相違点のみを説明し、その他の点については、上述した説明を参照する。
【００２８】
穿刺針本体部３１が、刃先部３１ａより後端まで連通する小径の溝３６を備えている。そして、接続部３３には、溝３６の基端を閉塞するように、フィルタ３７が固定されている。穿刺針本体部３１の刃先部３１ａが、体腔内に侵入した場合、上記の溝３６を有することにより、この溝３６を通り血液が流れる。そして、フィルタ３７に血液が到達し、フィルタ３７が血液により着色されたことを確認することにより、刃先部３１ａの体腔内到達を確認できる。なお、誘導用チューブ２を透明材料により形成することにより、上記の溝３６を通過する血液を確認することによっても刃先部３１ａの体腔内到達を確認できる。フィルタ３７としては、通気性かつ血液不透過性のものが用いられる。
【００２９】
また、本発明のイントロデューサー誘導具としては、図１２に示すイントロデューサー誘導具２０の形態のものであってもよい。イントロデューサー誘導具２０と上述したイントロデューサー誘導具１との相違は、穿刺針組立体３の穿刺針本体部３１が、中空針であり内部に通路３１ｂを備え、かつ基端にその通路３１ｂからの血液流出を防止する通気性フィルタ３７を備える点のみであり、その他の点については、上述したイントロデューサー誘導具１と同じである。相違点のみを説明し、その他の点については、上述した説明を参照する。
穿刺針本体部３１は、刃先部３１ａから後端まで開通する中空針であり、内部に通路３１ｂを備えている。そして、接続部３３には、通路３１ｂの基端を閉塞するように、フィルタ３７が固定されている。穿刺針本体部３１の刃先部３１ａが、体腔内に侵入した場合、上記の通路３１ｂを有することにより、この通路３１ｂを通り血液が流れる。そして、フィルタ３７に血液が到達し、フィルタ３７が血液により着色されたことを確認することにより、刃先部３１ａの体腔内到達を確認できる。フィルタ３７としては、通気性かつ血液不透過性のものが用いられる。
【００３０】
また、本発明のイントロデューサー誘導具としては、図１３に示すイントロデューサー誘導具３０の形態のものであってもよい。イントロデューサー誘導具３０と上述したイントロデューサー誘導具１との相違は、穿刺針組立体３の穿刺針本体部３１が、穿刺針部３８とその後端に接続されたシャフト部３９とにより構成されている点のみであり、その他の点については、上述したイントロデューサー誘導具１と同じである。相違点のみを説明し、その他の点については、上述した説明を参照する。
穿刺針本体部３１は、穿刺針部３８とその後端に接続されたシャフト部３９とにより構成されている。穿刺針部３８は、先端に刃先部３１ａと後端に小径の取付部３８ａを有している。そして、シャフト部３９は、先端部に上記取付部３８ａを取付可能な凹部３９ａを備えている。また、シャフト部３９の基端部は、誘導用チューブ被覆部３２の接続部３３に固定されている。このように、穿刺針本体部３１を穿刺針部３８とシャフト部３９に区分することにより、両者を別材料により形成することができる。そして、穿刺針部３８を金属により形成し、シャフト部３９を剛性樹脂により形成することが好ましい。そして、シャフト部材の構成材料としては、例えばポリオレフィン（例えば、ポリエチレン、ポリプロピレン、ポリブテン、エチレン−プロピレン共重合体、エチレン−酢酸ビニル共重合体、アイオノマー、またはこれら二種以上の混合物など）、ポリオレフィンエラストマー、ポリオレフィンの架橋体、ポリ塩化ビニル、ポリアミド、ポリアミドエラストマー、ポリエステル、ポリエステルエラストマー、ポリウレタン、ポリウレタンエラストマー、フッ素樹脂、ポリカーボネート、ポリスチレン、ポリアセタール、ポリイミド、ポリエーテルイミドなどの高分子材料またはこれらの混合物などを用いることができる。
また、穿刺針部３８の長さとしては、３０〜１５０ｍｍ程度が好適である。また、穿刺操作用ハブ３４の配置位置は、図１３に示すように、穿刺針部上もしくは穿刺針部の基端部付近上となっていることが好ましい。穿刺操作用ハブ３４を硬質の穿刺針部上とすることにより、穿刺操作時におけるハブ配置位置でのイントロデューサー誘導具の湾曲が少なく穿刺操作が良好となる。
【００３１】
また、本発明のイントロデューサー誘導具としては、図１４に示すイントロデューサー誘導具４０の形態のものであってもよい。イントロデューサー誘導具４０と上述したイントロデューサー誘導具１との相違は、誘導用チューブ移動規制部の形態のみである。このイントロデューサー誘導具４０では、図１４および図１５に示すように、誘導用チューブ１２の基端は、傾斜端２３ａとなっている。そして、誘導用チューブ移動規制部を構成する穿刺針組立体３の接続部３３の内腔端面も上記の誘導用チューブ１２の基端形態に適合するように、傾斜端３３ａとなっている。このようにすることにより、イントロデューサー誘導具の穿刺時における誘導用チューブ１２に対する穿刺針組立体３の回転が規制され、穿刺作業を良好なものとする。さらに、図１５に示すように、誘導用チューブ１２の基端が傾斜端２３ａとなっているため、ダイレーター９１の内腔への挿入も容易なものとなる。この実施例のイントロデューサー誘導具における誘導用チューブの後端部２３は、ダイレーター９１の内腔先端内への易侵入部を形成している。
【００３２】
また、本発明のイントロデューサー誘導具としては、図１６に示すイントロデューサー誘導具４５の形態のものであってもよい。イントロデューサー誘導具４５と上述したイントロデューサー誘導具１との相違は、誘導用チューブ移動規制部の形態のみである。このイントロデューサー誘導具４５では、図１６に示すように、誘導用チューブ２は、先端側部分が小径内径部２ａ（言い換えれば、肉厚部）となっており、後端側部分が大径内径部２ｂ（言い換えれば、肉薄部）となっており、両者の境界部分が段差部２３ｂとなっている。また、穿刺針本体部３１は、先端側部分が小径外径部３１ｃとなっており、後端側部分が大径外径部３１ｄとなっており、両者の境界部分が段差部３３ｂとなっている。そして、図１６に示すように、段差部３３ｂの外径は、段差部２３ｂの内径より大きいものとなっており、誘導用チューブ２の段差部２３ｂと穿刺針本体部３１の段差部３３ｂは当接する。このイントロデューサー誘導具４５では、２つの段差部２３ｂ、３３ｂにより、誘導用チューブ移動規制部が構成されている。なお、穿刺針本体部３１は、その全長において小径外径となっており、段差部となる部分に段差部２３ｂと当接可能なリブが設けられたものであってもよい。同様に、誘導用チューブは、その全長において大径内径となっており、段差部となる部分に段差部３３ｂと当接可能なリブが設けられたものであってもよい。
【００３３】
また、本発明のイントロデューサー誘導具としては、図１７に示すイントロデューサー誘導具５０の形態のものであってもよい。
イントロデューサー誘導具５０では、穿刺針組立体は、誘導用チューブ被覆部３２の先端部に設けられ、誘導用チューブ被覆部３２を誘導用チューブ２に離脱可能に固定する固定部材５１を有し、誘導用チューブ移動規制部は、固定部材５１により構成されている。穿刺針本体部３１は、上述したものと同じである。
この実施例のイントロデューサー誘導具５０では、誘導用チューブ被覆部３２の先端に穿刺操作用ハブ３４が固定されており、この穿刺操作用ハブ３４が、誘導用チューブ被覆部３２の先端部を構成している。固定部材５１は、ハブ３４（穿刺針組立体）に摺動可能かつ離脱不能に取付けられている。そして、固定部材５１が、図１７に示すように、ハブ３４の先端を圧迫する状態では、ハブ３４の先端を誘導用チューブ２に密着し、誘導用チューブ２にハブ３４（穿刺針組立体）を固定する。そして、固定部材５１が、図１７の状態より、先端側に移動すると、上記の圧迫が解除され誘導用チューブ２の固定も解除される。
【００３４】
具体的には、ハブ３４は、先端側に延びるチューブ部を備えその先端には、膨出部３４ａが設けられている。そして、ハブ３４の先端部には、摺動可能に固定部材５１が取付けられている。固定部材５１は、所定長の筒状体であり、操作用外側リブ５２、ハブからの離脱防止用内側リブ５４、ハブ３４の膨出部圧迫部５３を備えている。圧迫部５３は、先端側に縮径する内側傾斜面となっている。このため、ハブ３４を基端側に移動させ、圧迫部である傾斜面５３によりハブ３４の膨出部３４ａが圧迫される状態では、ハブ３４の膨出部３４ａの形成部内径が縮径し、誘導用チューブ２に密着するため、ハブ３４（穿刺針組立体）は、誘導用チューブ２に固定された状態となる。この状態が図１７に示す状態であり、誘導用チューブ２は、穿刺針組立体の先端側にも基端側にも移動不能となっている。そして、このイントロデューサー誘導具５０は、この固定状態にて、血管に穿刺される。このイントロデューサー誘導具５０では、誘導用チューブ２は穿刺針組立体の先端方向および基端方向のいずれにも移動しないので、穿刺作業を良好に行うことができる。そして、穿刺作業後、固定部材５１を先端側に移動させることにより、ハブ３４（穿刺針組立体）と誘導用チューブ２の固定状態は、解除され、誘導用チューブ２より穿刺針組立体を抜去可能となる。
なお、この実施例の場合、誘導用チューブ２の基端は、穿刺針組立体の接続部３３に当接しないものであってもよいが、誘導用チューブ２の基端方向への移動をより確実に規制するためには、上述した実施例と同様に、当接するものであることが好ましい。
【００３５】
また、上記の実施例では、ハブ３４を備えているが必ずしも備える必要はなく、誘導用チューブ被覆部３２の先端に上述した膨出部を設けたものとしてもよい。この場合、固定部材を操作用ハブとして機能させてもよい。また、ハブ３４としては、上述したイントロデューサー誘導具１のように、誘導用チューブ被覆部３２を貫通するものであってもよい。この場合においても、膨出部は誘導用チューブ被覆部３２の先端に設けられるものとなる。
【００３６】
また、本発明のイントロデューサー誘導具としては、図１８および図１９に示すイントロデューサー誘導具７０であってもよい。
イントロデューサー誘導具７０と上述したイントロデューサー誘導具１との相違は、穿刺針組立体３の穿刺針本体部３１が中空針であり、穿刺針本体部３１の基端部が接続部３３より突出し、突出する穿刺針本体部３１の基端部に基端ハブ３５が固定されている点のみであり、その他の点については、上述したイントロデューサー誘導具１と同じである。相違点のみを説明し、その他の点については、上述した説明を参照する。
穿刺針本体部３１は、刃先部３１ａから後端まで開通する中空針であり、内部に通路３１ｂを備えている。そして、この実施例のイントロデューサー誘導具７０では、中空針である穿刺針本体部３１の基端部が接続部３３より突出している。そして、突出する基端部には、図１８に示すように、中空状の基端ハブ３５が固定されている。この基端ハブ３５は、開口部３５ａを備えており、この開口部３５ａは、穿刺針本体部３１の通路３１ｂと連通している。
【００３７】
さらに、この実施例のイントロデューサー誘導具７０では、基端ハブ３５の上記開口部３５ａには、キャップ部材を着脱可能に取り付けてもよい。キャップ部材としては、開口部３５ａを液密状態にシールするものが好ましい。また、キャップ部材としては、通気性かつ血液不透過性の通気フィルタを備えるものであってもよい。また、この実施例のイントロデューサー誘導具７０では、基端ハブ３５は、接続部３３と別部材となっているが、両者は一体化されたものであってもよい。
そして、このイントロデューサー誘導具７０においても、誘導用チューブ２に対して、穿刺針組立体３を基端方向に引くことにより、図１９に示す状態となる。そして、誘導用チューブ２より穿刺針本体部３１が完全に抜去される前に、基端ハブ３５の開口部３５ａを用いて、誘導用チューブ２内に止血剤を注入することが可能である。
【００３８】
そして、上述したすべての実施例において、誘導用チューブは、表面の全体もしくは一部には、低摩擦性物質が塗布もしくは被覆されていることが好ましい。このようにすることにより、イントロデューサー誘導具の血管への穿刺時における抵抗が少ないものとなり、また、ダイレーター進行時におけるその内面との間の抵抗も少ないものとなる。
また、上述したすべての実施例において、誘導用チューブは、内面の全体もしくは一部には、低摩擦性物質が塗布もしくは被覆されていてもよい。
また、上述したすべての実施例において、穿刺針本体部の外面の全体もしくは一部、誘導用チューブ被覆部の内面の全体もしくは一部には、低摩擦性物質が塗布もしくは被覆されていてもよい。このようにすることにより、誘導用チューブ２からの穿刺針組立体３の抜去時の抵抗が少ないものとなり、抜去作業が容易となる。
【００３９】
低摩擦性物質としては、フッ素系樹脂、親水性樹脂などが好ましい。
フッ素系樹脂としては、ポリテトラフルオロエチレン（ＰＴＦＥ）、テトラフルオロエチレン・ヘキサフルオロプロピレン共重合体（ＦＥＰ）、テトラフルオロエチレン・パーフルオロアルキルビニルエーテル共重合体（ＰＦＡ）、ポリクロロトリフルオロエチレン（ＰＣＴＦＥ）、ポリフッ化ビニリデン（ＰＶＤＦ）、エチレン・テトラフルオロエチレン共重合体（ＥＴＦＥ）等が挙げられる。
親水性樹脂としては、ポリビニルアルコール、ポリビニルピロリドン、ケイ素樹脂が好ましい。また、ケイ素系樹脂としては、被膜形成性を有するものが好ましい。ケイ素樹脂（水性シリコーン化合物）としては、各種が使用可能であり、例えば、アルコキシシラン化合物やオルガノシロキサン化合物、又はその縮合物からなるポリシロキサンを水性媒体に分散、乳化、溶解したもの、さらにアルコキシシリル基含有ビニルモノマーを必要に応じて他のビニルモノマーと共重合してなる共重合体エマルション、有機重合体にポリシロキサンを複合化させてなるエマルションなども使用できる。また、ケイ素樹脂としては、具体的には、メチルトリメトキシシラン、メチルトリエトキシシラン、メチルトリイソブトキシシラン、メチルトリブトキシシラン、メチルｓｅｃ−トリオクチルオキシシラン、メチルトリフェノキシシラン、フェニルトリメトキシシラン、フェニルトリエトキシシラン、メチルトリ（アクリロイルオキシエトキシ）シラン、メチルトリ（グリシジルオキシ）シラン、オクチルトリエトキシシラン、ラウリルトリエトキシシラン、ステアリルトリメトキシシラン、ステアリルトリエトキシシランのシラン系化合物など、あるいはこれらの縮合物を水媒体に分散、乳化、溶解したものが挙げられる。 
【００４０】
また、上述した全ての実施例において、誘導用チューブの外面の全体若しくは一部に潤滑性物質が被覆されていてもよい。特に、潤滑性物質は、誘導用チューブ２の外面に固定されていることが好ましい。潤滑性物質としては、カルボキシメチルセルロース、多糖類、ポリビニルアルコール、ポリエチレンオキサイド、ポリアクリル酸ソーダ、メチルビニルエーテル無水マレイン酸共重合体、水溶性ナイロン等が考えられる。また、潤滑性物質の被覆は、誘導用チューブの全体に設けることが好ましい。
【００４１】
そして、本発明のイントロデューサーキットは、上述したイントロデューサー誘導具と、カテーテルイントロデューサー８０とにより構成される。カテーテルイントロデューサー８０は、カテーテル挿入用シース８１とこのシース８１内に抜去可能に挿入されたダイレーター９１とを備えている。
イントロデューサー８０としては、公知のものを用いることができる。
イントロデューサー８０としては、例えば、図２０および図２１に示すものが使用可能である。
カテーテル挿入用シース８１は、シースチューブ８２と、このシースチューブ８２の基端部に固定されたシースハブ８３とを有している。シースチューブ８２は、経皮的に血管に導入される。そして、シースチューブ８２の内腔には、シースハブ８３の基端から、例えばカテーテル、ガイドワイヤ等の医療用の長尺物を挿通され、この長尺物が体腔内に導入される。
【００４２】
シースチューブ８２は、比較的柔軟な樹脂材料、例えば高密度ポリエチレン、ポリプロピレンのようなポリオレフィン、ナイロン６６のようなポリアミド、ポリエチレンテレフタレート、ポリブチレンテレフタレート、ポリシクロヘキサンテレフタレートのようなポリエステル、ポリテトラフルオロエチレン、エチレン−テトラフルオロエチレン共重合体等のフッ素系樹脂、ポリウレタンからなる群より選択される少なくとも１種を主とする樹脂材料で構成されている。
シースハブ８３の基端部内側には、流体の逆流を防止する弁体（逆止弁）８４が設けられている。この弁体８４は、シースハブ８３の基端から血液等の液体の漏出を防止する機能を有するものである。弁体８４としては、一方の面にのみ到達するスリットと、他方の面にのみ到達するスリットとが形成され、かつ、これらが内部において部分的に交差しているものが挙げられる。
【００４３】
ダイレーター９１は、ダイレーターチューブ９２と、このダイレーターチューブ９２の基端部に固定（固着）されたダイレーターハブ９３とを有している。そして、ダイレーターチューブ９２の先端部９２ａは、先端方向に向かって縮径している（テーパ状をなしている）。これにより、内部に挿通される誘導用チューブ２との境界部における段差が小さくなるため、血管に挿入する際の穿刺抵抗が小さくなり、ダイレーターチューブ９２の血管への導入（血管の確保）が容易となる。
そして、このダイレーター９１は、前述したカテーテル挿入用シース８１内にダイレーターチューブ９２の先端部９２ａが、シースチューブ８２の先端より突出するように挿入される。
【００４４】
次に、本発明のイントロデューサーキットおよびイントロデューサー誘導具の作用を図２２ないし図２５を用いて説明する。
図２２に示すように、イントロデューサー誘導具１の先端が、皮膚１０１を通過し、血管１０２内に到達するまで穿刺する。そして、図２３に示すように、誘導用チューブ２の先端の体腔内挿入状態を維持しながら、穿刺針組立体３を後方に引き、誘導用チューブ２より抜去する。これにより、誘導用チューブ２のみが残る状態となる。そして、図２４に示すように、誘導用チューブ２の後端が、イントロデューサー８０をダイレーターの先端よりその内部に収納されるように、イントロデューサー８０を誘導用チューブ２に沿ってその前方に押し進める。この挿入操作は、図２４に示すように、イントロデューサー８０のダイレーターの先端部９２ａが、体腔内に侵入し、かつ、誘導用チューブ２の先端より前方となる状態まで行われる。そして、図２５に示すように、誘導用チューブ２およびダイレーターを抜去することにより、カテーテル挿入用シース８１のみが挿入された状態となる。
【図面の簡単な説明】
【００４５】
【図１】図１は、本発明のイントロデューサー誘導具の正面図である。
【図２】図２は、図１に示したイントロデューサー誘導具の誘導用チューブの正面図である。
【図３】図３は、図１に示したイントロデューサー誘導具の穿刺針組立体の正面図である。
【図４】図４は、図１に示したイントロデューサー誘導具の部分省略断面図である。
【図５】図５は、本発明のイントロデューサー誘導具に用いられる誘導用チューブの他の例の正面図である。
【図６】図６は、本発明のイントロデューサー誘導具に用いられる誘導用チューブの他の例の先端部の拡大断面図である。
【図７】図７は、本発明のイントロデューサー誘導具に用いられる誘導用チューブの他の例の先端部の拡大図である。
【図８】図８は、本発明のイントロデューサー誘導具に用いられる誘導用チューブの他の例の部分省略断面図である。
【図９】図９は、本発明のイントロデューサー誘導具に用いられる誘導用チューブの他の例の部分省略断面図である。
【図１０】図１０は、本発明のイントロデューサー誘導具の作用を説明するための説明図である。
【図１１】図１１は、本発明のイントロデューサー誘導具の他の実施例の部分省略断面図である。
【図１２】図１２は、本発明のイントロデューサー誘導具の他の実施例の部分省略断面図である。
【図１３】図１３は、本発明のイントロデューサー誘導具の他の実施例の部分省略断面図である。
【図１４】図１４は、本発明のイントロデューサー誘導具の他の実施例の部分省略断面図である。
【図１５】図１５は、図１４に示したイントロデューサー誘導具の誘導用チューブの正面図である。
【図１６】図１６は、本発明のイントロデューサー誘導具の他の実施例の部分省略断面図である。
【図１７】図１７は、本発明のイントロデューサー誘導具の他の実施例の部分省略断面図である。
【図１８】図１８は、本発明のイントロデューサー誘導具の他の実施例の部分省略断面図である。
【図１９】図１９は、図１８に示したイントロデューサー誘導具の作用を説明するための説明図である。
【図２０】図２０は、本発明のイントロデューサーキットに使用されるイントロデューサーの正面図である。
【図２１】図２１は、図２０のＡ−Ａ線断面図である。
【図２２】図２２は、本発明のイントロデューサー誘導具およびイントロデューサーキットの作用を説明するための説明図である。
【図２３】図２３は、本発明のイントロデューサー誘導具およびイントロデューサーキットの作用を説明するための説明図である。
【図２４】図２４は、本発明のイントロデューサー誘導具およびイントロデューサーキットの作用を説明するための説明図である。
【図２５】図２５は、本発明のイントロデューサー誘導具およびイントロデューサーキットの作用を説明するための説明図である。
【符号の説明】
【００４６】
１  イントロデューサー誘導具
２  誘導用チューブ
３  穿刺針組立体
２３ａ，３３ａ  誘導用チューブ移動規制部
３１  穿刺針本体部
３１ａ  刃先部
９１  ダイレーター
【図１】
0004846396.tif 000002
【図２】
0004846396.tif 000003
【図３】
0004846396.tif 000004
【図４】
0004846396.tif 000005
【図５】
0004846396.tif 000006
【図６】
0004846396.tif 000007
【図７】
0004846396.tif 000008
【図８】
0004846396.tif 000009
【図９】
0004846396.tif 000010
【図１０】
0004846396.tif 000011
【図１１】
0004846396.tif 000012
【図１２】
0004846396.tif 000013
【図１３】
0004846396.tif 000014
【図１４】
0004846396.tif 000015
【図１５】
0004846396.tif 000016
【図１６】
0004846396.tif 000017
【図１７】
0004846396.tif 000018
【図１８】
0004846396.tif 000019
【図１９】
0004846396.tif 000020
【図２０】
0004846396.tif 000021
【図２１】
0004846396.tif 000022
【図２２】
0004846396.tif 000023
【図２３】
0004846396.tif 000024
【図２４】
0004846396.tif 000025
【図２５】
0004846396.tif 000026